(57)【要約】【目的】同一画面上で左右の観察者に対してそれぞれ異なる第１、第２の画像を同時に提供し、かつ画面上で各画像に対応した操作が可能な表示装置の表示を制御する「表示制御装置」をより簡単な構成で提供することである。【構成】制御部６は、ナビゲーション画像Ａ及びＤＶＤ画像Ｂの水平画素数を、それぞれ表示装置１１の水平画素数の1/2にして左右に連結した画像と、ナビゲーション画像Ａの操作画像及びＤＶＤ画像Ｂの操作画像の水平画素数を、それぞれ表示装置１１の水平画素数の1/2にして左右に連結した操作画像Ｃとを合成して画像記憶部７に記憶する（画像Ｄ）。その後、制御部６は、記憶された画像Ｄを順次読み出し、表示制御部１０は、読み出された画像の右半分の画素８と左半分の画素９とを交互に配置して表示する。【選択図】図１
2007292915.tif 000002
【特許請求の範囲】
【請求項１】
同一画面上で左右の観察者に対してそれぞれ異なる第１、第２の画像を同時に提供する表示装置の表示を制御する表示制御装置において、
前記第１の画像を生成する第１画像生成部と、
前記第２の画像を生成する第２画像生成部と、
前記第１の画像の操作画像及び前記第２の画像の操作画像の水平画素数を、それぞれ前記表示装置の水平画素数の1/2にして左右に連結した操作画像を生成する第３画像生成部と、
１画面分の画像を記憶する画像記憶部と、
前記第１の画像及び前記第２の画像の水平画素数を、それぞれ前記表示装置の水平画素数の1/2にして左右に連結し、連結された画像と前記第３画像生成部により生成された操作画像を合成して前記画像記憶部に記憶し、該画像記憶部に記憶された画像を順次読み出し、読み出された画像の右半分の画素と左半分の画素とを交互に配置し、前記表示装置に表示する表示制御部と、
を備えたことを特徴とする表示制御装置。
【発明の詳細な説明】
【技術分野】
【０００１】
本発明は、表示制御装置に係わり、特に、同一画面上で左右の観察者に対してそれぞれ異なる第１、第２の画像を同時に提供する表示装置の表示を制御する表示制御装置に関する。
【背景技術】
【０００２】
従来、同一画面上で左右の観察者に対してそれぞれ異なる第１、第２の画像を同時に提供する表示装置として、液晶表示パネルに、光の透過領域と遮断領域とがストライプ状に形成された視差バリアを組み合わせた液晶表示装置が知られている（特許文献１参照）。
このような液晶表示装置では、第１の画像と第２の画像の画素を水平方向について交互に配置した画像を液晶表示装置に表示すれば、左右の観察者に対してそれぞれ異なる第１、第２の画像を同時に提供することができる。
【０００３】
図３は、同一画面上で左右の観察者に対してそれぞれ異なる第１、第２の画像を同時に提供する表示装置（以下２画面表示装置とする）の表示を制御する表示制御装置の構成図である。なお、第１の画像は、ナビゲーション装置から生成されるナビゲーション画像であり、第２の画像は、ＤＶＤから読み取ったＤＶＤ画像である。更に、２画面表示装置及び表示制御装置は、例えば車両内のダッシュボードの中央に設置され、運転席側はナビゲーション画像を見ることができ、助手席側はＤＶＤ画像を見ることができるようになっている。
ユーザにより図示しない操作部から２画像表示を指示されると、ナビゲーション画像生成部５１は、ナビゲーション画像Ａを生成してナビゲーション画像制御部５２に入力する。そして、ナビゲーション画像制御部５２は、ナビゲーション画像Ａの水平画素数を表示装置５８の水平画素数の1/2に縮小してナビゲーション画像記憶部５３に記憶する。これにより、ナビゲーション画像記憶部５３には、画像Ｇに示すようなナビゲーション画像が記憶される。
更に、ＤＶＤ画像生成部５４は、ＤＶＤ画像Ｂを生成してＤＶＤ画像制御部５５に入力する。そして、ナビゲーション画像制御部５５は、このＤＶＤ画像の水平画素数を表示装置５８の水平画素数の1/2に縮小してナビゲーション画像記憶部５６に記憶する。これにより、ＤＶＤ画像記憶部５６には、画像Ｈに示すようなＤＶＤ画像が記憶される。
次いで、ナビゲーション画像制御部５２は、ナビゲーション画像記憶部５３よりナビゲーション画像Ｇを読み出して表示制御部５７に入力する。また、ＤＶＤ画像制御部５５は、ＤＶＤ画像記憶部５６よりＤＶＤ画像Ｈを読み出して表示制御部５７に入力する。ここで、ナビゲーション画像制御部５２及びＤＶＤ画像制御部５５の読み出しは同期して行われ、表示制御部５７には、ナビゲーション画像Ｇ及びＤＶＤ画像Ｈの同座標の画素が同時に入力される。表示制御部５７は、ナビゲーション画像Ｇ及びＤＶＤ画像Ｈの画素を水平方向について交互に配置して２画面表示装置５８に表示する。これにより、運転席側にはナビゲーション画像Ｉが表示され、助手席側にはＤＶＤ画像Ｊが表示される。なお、上記処理は、１画面毎に繰り返し行われる。
【０００４】
しかし、上記表示制御装置では、ナビゲーション画像及びＤＶＤ画像を制御する２つの制御部と、ナビゲーション画像及びＤＶＤ画像を記憶する２つの記憶部と、が必要であった。このため、表示制御装置が複雑、大規模、高コストのものとなっていた。
【０００５】
そこで、本願出願人により、上記課題を解決するための表示制御装置として、第１の画像及び第２の画像を、それぞれ表示装置の水平画素数の1/2にして左右に連結して記憶し、記憶された画像を順次読み出し、読み出された画像の右半分の画素と左半分の画素とを交互に配置するようにした表示制御装置が提案されている（特許文献２参照）。
図４は、上記提案されている表示制御装置の構成図である。ユーザにより図示しない操作部から２画像表示を指示されると、ナビゲーション画像生成部６１は、ナビゲーション画像Ａを生成して制御部６３に入力する。また、ＤＶＤ画像生成部６２は、ＤＶＤ画像Ｂを生成して制御部６３に入力する。そして、制御部６３は、ナビゲーション画像Ａ及びＤＶＤ画像Ｂの水平画素数を表示装置６６の水平画素数の1/2に縮小し、両画像を左右に連結した画像Ｋを生成し、この画像Ｋを画像記憶部６４に記憶する。
次いで、制御部６３は、画像記憶部６４より画像Ｋをラスタ順に読み出して表示制御部６５に入力する。表示制御部５７は、画像Ｋにおいて、右半分の画素６７と左半分の画素６８とを水平方向に交互に配置して２画面表示装置６６に入力する。これにより、運転席側にはナビゲーション画像Ｌが表示され、助手席側にはＤＶＤ画像Ｍが表示される。なお、上記処理は、１画面毎に繰り返し行われる。
上記表示制御装置によれば、ナビゲーション画像及びＤＶＤ画像を制御する制御部と、ナビゲーション画像及びＤＶＤ画像を記憶する記憶部とがそれぞれ１つであるため、簡易な構成にすることができる。
【０００６】
ところで、近年、２画面表示装置にはタッチパネルが備えられており、各画像の操作を画面上で行うことができるようになっている。
図５は、タッチパネルを備えた２画面表示装置の表示を制御する表示制御装置の構成図である。
ユーザにより図示しない操作部から２画像表示を指示されると、ナビゲーション画像生成部７１は、ナビゲーション画像Ａを生成してナビゲーション画像合成部７４に入力する。
また、ナビゲーション画像用操作画像生成部７２は、経路設定やメニュー画面表示等の各種操作キー７３を含むナビゲーション画像Ａに対応した操作画像Nを生成してナビゲーション画像合成部７４に入力する。なお、符号７３は、縮尺や方角等のナビゲーション画像情報とすることもできる。そして、ナビゲーション画像合成部７４はナビゲーション画像Ａと操作画像Nとを合成して（ナビゲーション画像Ｑ）、制御部７９に入力する。一方、ＤＶＤ画像生成部７５は、ＤＶＤ画像Ｂを生成してナビゲーション画像合成部５２に入力する。また、ＤＶＤ画像用操作画像生成部７６は、再生や停止等の各種操作キー７７を含むＤＶＤ画像Ｂに対応した操作画像Ｐを生成してＤＶＤ画像合成部７８に入力する。なお、符号７７は、タイトルや再生時間等のＤＶＤ画像情報とすることもできる。そして、ＤＶＤ画像合成部７８はＤＶＤ画像Ｂと操作画像Ｐとを合成して（ＤＶＤ画像Ｒ）、制御部７９に入力する。制御部７９は、ナビゲーション画像Ｑ及びＤＶＤ画像Ｒの水平画素数を、それぞれ表示装置８２の水平画素数の1/2に縮小し、両画像を左右に連結した画像Ｓを生成し、この画像Ｓを画像記憶部８０に記憶する。
次いで、制御部７９は、画像記憶部８０より画像Ｓをラスタ順に読み出して表示制御部８１に入力する。表示制御部８１は、画像Ｓにおいて、右半分の画素８４と左半分の画素８５とを水平方向に交互に配置し、２画面表示装置８２に入力する。これにより、運転席側にはナビゲーション画像Ｔが表示され、助手席側にはＤＶＤ画像Ｕが表示される。なお、上記処理は、１画面毎に繰り返し行われる。更に、タッチパネル８３より操作キー７３及び７７が押下されると、各操作キーに対応した動作を行う。
【特許文献１】特開２００４−３０２４０９号公報
【特許文献２】特願２００５−６２１００号
【発明の開示】
【発明が解決しようとする課題】
【０００７】
しかし、上記表示制御装置では、画像に対応する操作画像を生成する画像生成部及び画像と操作画像を合成する画像合成部が、ナビゲーション画像用とＤＶＤ画像用とでそれぞれ必要であった。このため、表示制御装置が複雑、大規模、高コストのものとなっていた。
従って、本発明の目的は、同一画面上で左右の観察者に対してそれぞれ異なる第１、第２の画像を同時に提供し、かつ画面上で各画像に対応した操作が可能な表示装置の表示を制御する表示制御装置をより簡単な構成で提供することである。
【課題を解決するための手段】
【０００８】
本発明は、同一画面上で左右の観察者に対してそれぞれ異なる第１、第２の画像を同時に提供する表示装置の表示を制御する表示制御装置であり、前記第１の画像を生成する第１画像生成部と、前記第２の画像を生成する第２画像生成部と、前記第１の画像の操作画像及び前記第２の画像の操作画像の水平画素数を、それぞれ前記表示装置の水平画素数の1/2にして左右に連結した操作画像を生成する第３画像生成部と、１画面分の画像を記憶する画像記憶部と、前記第１の画像及び前記第２の画像の水平画素数を、それぞれ前記表示装置の水平画素数の1/2にして左右に連結し、連結された画像と前記第３画像生成部により生成された操作画像を合成して前記画像記憶部に記憶し、該画像記憶部に記憶された画像を順次読み出し、読み出された画像の右半分の画素と左半分の画素とを交互に配置し、前記表示装置に表示する表示制御部と、を備えている。
【発明の効果】
【０００９】
本発明によれば、第１の画像及び第２の画像の水平画素数を、それぞれ前記表示装置の水平画素数の1/2にして左右に連結した画像を生成し、第１の画像の操作画像及び前記第２の画像の操作画像の水平画素数を、それぞれ前記表示装置の水平画素数の1/2にして左右に連結した操作画像を生成し、前記画像と前記操作画像を合成して記憶し、記憶された画像を順次読み出し、読み出された画像の右半分の画素と左半分の画素とを交互に配置して表示するように構成したため、画面上で各画像に対応した操作が可能な２画面表示装置の表示を制御する表示制御装置の構成をより簡単にすることができる。特に、各画像の操作画像を生成する画像生成部及び画像と操作画像を合成する画像合成部の構成を簡単にすることができる。
【発明を実施するための最良の形態】
【００１０】
図１は、本発明に係る２画面表示装置の表示を制御する表示制御装置の構成図である。
ユーザにより図示しない操作部から２画像表示を指示されると、ナビゲーション画像生成部１は、ナビゲーション画像Ａを生成して制御部６に入力し、ＤＶＤ画像生成部２は、ＤＶＤ画像Ｂを生成して制御部６に入力する。また、操作画像生成部３は、経路設定やメニュー画面表示等の各種操作キー４を含むナビゲーション画像Ａに対応した操作画像Ａ′と再生や停止等の各種操作キー５を含むＤＶＤ画像Ｂに対応した操作画像Ｂ′とを生成する。なお、符号４は、縮尺や方角等のナビゲーション画像情報とすることができ、符号５は、タイトルや再生時間等のＤＶＤ画像情報とすることができる。その後、操作画像生成部３は、両操作画像Ａ′、Ｂ′の水平画素数を、それぞれ表示装置１１の水平画素数の1/2に縮小して左右に連結した操作画像Ｃを生成し、操作画像Ｃを制御部６に入力する。制御部６は、ナビゲーション画像Ａ及びＤＶＤ画像Ｂの水平画素数を、それぞれ表示装置１１の水平画素数の1/2に縮小し、両画像を左右に連結した画像を生成する。そして、制御部６は、この連結した画像と操作画像Ｃとを合成して画像記憶部７に記憶する。これにより、画像記憶部７には、画像Dに示すような画像が記憶される。
次いで、制御部６は、画像記憶部７より画像Ｄをラスタ順に読み出して表示制御部１０に入力する。表示制御部１０は、画像Ｄにおいて、右半分の画素８と左半分の画素９とを水平方向に交互に配置し、２画面表示装置１１に入力する。これにより、運転席側にはナビゲーション画像Ｅが表示され、助手席側にはＤＶＤ画像Ｆが表示される。更に、タッチパネル１２より操作キー４及び５が押下されると、各操作キーに対応した動作を行う。なお、上記処理は、１画面毎に繰り返し行われる。
【００１１】
次に、表示制御部１０の詳細な動作について説明する。図２は、本発明に係る２画面表示装置の表示を制御する表示制御装置の表示制御部の構成図である。なお、画像記憶部７には画像Ｄ（図１）が記憶されているものとする。
表示制御装置１０は、ミックス制御部２１と、第１ラインバッファ２２と、第２ラインバッファ２３と、バッファセレクタ２４とを備えている。そして、第１ラインバッファ２２と第２ラインバッファ２３は、同じ内部構成であり、それぞれ第１FIFO３１と第２FIFO３２と、ミックスセレクタ３３とを備えている。
制御部６は、画像記憶部７に記憶された画像Ｄの各画素をラスタ順に読み出し第１ラインバッファ２２と第２ラインバッファ２３に出力する。ミックス制御部２１は、第１ラインバッファ２２と第２ラインバッファ２３を制御し、制御部６が出力する表示装置１１の１水平周期毎に、交互に第１ラインバッファ２２と第２ラインバッファ２３の一方を書き込み用ラインバッファとする。また、１水平周期毎に、第１ラインバッファ２２と第２ラインバッファ２３の書き込み用ラインバッファでない方のラインバッファを読み出し用ラインバッファとする。
ここで、説明の明瞭化のために、以下では、図中に示すように画像Ｄの水平方向の１ラインの画素数を６画素として説明する。また、画像Ｄの第Nライン（Nth line）の６画素を左側の画素より、ａ、ｂ、ｃ、ｄ、ｅ、ｆで示し、画像Ｄの第N+1ライン（N+1th line）の６画素を左側の画素より、ｇ、ｈ、ｉ、ｊ、ｋ、ｌで示す。
【００１２】
制御部６から出力された画像Ｄの各画素は、第１ラインバッファ２２と第２ラインバッファ２３のうちの書き込み用ラインバッファとされている方のラインバッファに書き込まれる。すなわち、制御部６は、画像記憶部７に記憶された画像Ｄの第Nラインの画素を出力している第N水平周期（Nth H）に第１ラインバッファ２２が書き込み用ラインバッファに設定されている場合、この第Nラインの画素ａ、ｂ、ｃ、ｄ、ｅ、ｆは順次、制御部６から第１ラインバッファ２２の第１FIFO３１に入力される。第１FIFO３１に入力された画素は第１FIFO３１、第２FIFO３２の順にシフトしていく。ここで、第１FIFO３１、第２FIFO３２は、共に表示装置１１の水平画素数の1/2の数（図示した画像Ｄの１ラインの画素数が６である例では３）の画素を格納可能なFIFOである。
この結果、第N水平周期終了後には、第１ラインバッファ２２において、第２FIFO３２には、図に示すように、第Nラインの画素ａ、ｂ、ｃが当該順序で、第２FIFO３２の出力に近い位置となるように格納される。また、第１FIFO３１には、図に示すように、第Nラインの画素ｄ、ｅ、ｆが当該順序で、第１FIFO３１の出力に近い位置となるように格納される。
【００１３】
次に、制御部６が画像記憶部７に記憶された画像Ｄの第N+1ラインの画素を出力している第N+1水平周期（N+1th H）に第２ラインバッファ２３が書き込み用ラインバッファに設定され、この第N+1ラインの画素ｇ、ｈ、ｉ、ｊ、ｋ、ｌは順次、制御部６から第２ラインバッファ２３の第１FIFO３１に入力される。第１FIFO３１に入力された画素は第１FIFO３１、第２FIFO３２の順にシフトしていく。
この結果、第N+1水平周期終了後には、第２ラインバッファ２３の、第２FIFO３２には、第N+1ラインの画素ｇ、ｈ、ｉが当該順序で、第２FIFO３２の出力に近い位置となるように格納される。また、第１FIFO３１には、図に示すように、第N+1ラインの画素ｊ、ｋ、ｌが当該順序で、第１FIFO３１の出力に近い位置となるように格納される。
【００１４】
一方、この第２ラインバッファ２３に第N+1ラインの画素ｇ、ｈ、ｉ、ｊ、ｋ、ｌが書き込まれる第N+1水平周期には、第１ラインバッファ２２は、読み出し用のラインバッファとされ、以下の動作を行う。
ミックスセレクタ３３は、最初の画素周期で第２FIFO３２から画素を取り出しバッファセレクタ２４に出力する。また、以降画素周期毎に、第１FIFO３１、第２FIFO３２の順に交互に画素を取り出し、バッファセレクタ２４に出力する。
この結果、第N+1水平周期には、図中に示すように画像Ｄの左半分の第Nラインの画素ａ、ｂ、ｃと、右半分の第Nラインの画素ｄ、ｅ、ｆとが交互になるようにミックスされた出力がバッファセレクタ２４から出力される。
一方、次の第N+2水平周期には、第２ラインバッファ２３が読み出し用ラインバッファとされて上記動作を行う。これにより、第N+2水平周期には、図中に示すように画像Ｄの左半分の第N+1ラインの画素ｇ、ｈ、ｉと、右半分の第N+1ラインの画素ｊ、ｋ、ｌとが交互になるようにミックスされた出力がバッファセレクタ２４から出力される。なお、この第N+2水平周期には、第１ラインバッファ２２が書き込み用ラインバッファとされて、第N+2ラインの画素が、制御部６から第１ラインバッファ２２に書き込まれる。
【００１５】
そして、バッファセレクタ２４は、各水平周期において、ミックス制御部２１の制御に従って、第１ラインバッファ２２と第２ラインバッファ２３のうちの読み出し用ラインバッファとなっている方の出力を選択して表示装置１１に出力する。したがって、図中に示すように、第N+1水平周期には、画像Ｄの左半分の第Nラインの画素ａ、ｂ、ｃと、右半分の第Nラインの画素ｄ、ｅ、ｆとが交互になるようにミックスされたラインが表示装置１１に出力される。次の第N+2水平周期には、画像Ｄの左半分の第N+1ラインの画素ｇ、ｈ、ｉと、右半分の第N+1ラインの画素ｊ、ｋ、ｌとが交互になるようにミックスされたラインが表示装置１１に出力される。
以降、各水平周期において、第１ラインバッファ２２と第２ラインバッファ２３を交互に書き込み用／読み込み用ラインバッファとしながら、以上の動作を行う。なお、制御部６が画像記憶部７からの画像の読み出しに同期して表示装置１１の垂直同期信号を出力するものである場合には、垂直同期信号は第１ラインバッファ２２と第２ラインバッファ２３における画像出力の遅延を相殺するために、ミックス制御部２１において１水平周期遅延して表示装置１１に出力する。
これにより、表示装置１１には、運転席側にはナビゲーション画像Ｅ（図１）が表示され、助手席側にはＤＶＤ画像Ｆ（図１）が表示される。
【００１６】
上記構成により、画面上で各画像に対応した操作が可能な２画面表示装置の表示を制御する表示制御装置の構成をより簡単にすることができる。特に、各画像の操作画像を生成する画像生成部及び画像と操作画像を合成する画像合成部の構成を簡単にすることができる。
【００１７】
上記実施例では、運転席側の画像をナビゲーション画像とし、助手席側の画像をＤＶＤ画像とに限定していたが、ＴＶ映像やＣＤ・ラジオ等を組み合わせてもよい。
【００１８】
本発明の表示制御装置及び２画面表示装置は、上記実施例のように車両内のダッシュボードの中央に設置されることが好適であるが、車両内のダッシュボードの中央以外、例えば車両の後部席の中央等に設置しても適用可能である。
【００１９】
その他、表示装置の構成や制御手順等についても、特許請求の範囲に記載された本発明の要旨の範囲内において、種々の変形・変更が可能である。
【図面の簡単な説明】
【００２０】
【図１】本発明に係る２画面表示装置の表示を制御する表示制御装置の構成図である。
【図２】本発明に係る表示制御装置の表示制御部の構成図である。
【図３】第１の従来技術に係る２画面表示装置の表示を制御する表示制御装置の構成図である。
【図４】第２の従来技術に係る２画面表示装置の表示を制御する表示制御装置の構成図である。
【図５】タッチパネルを備えた２画面表示装置の表示を制御する表示制御装置の構成図である。
【符号の説明】
【００２１】
１…ナビゲーション画像生成部
２…ＤＶＤ画像生成部
３…操作画像生成部
６…制御部
７…画像記憶部
１０…表示制御部
１１…表示装置
１２…タッチパネル
【図１】
2007292915.tif 000003
【図２】
2007292915.tif 000004
【図３】
2007292915.tif 000005
【図４】
2007292915.tif 000006
【図５】
2007292915.tif 000007